(57)【要約】【課題】IP（Internet Protocol）電話機同士の内線通話において、音声品質の劣化を低減するVoIP（Voice over Internet Protocol）アダプタおよび音声通話方法を提供。【解決手段】構内交換装置（Private Branch eXchange; PBX）12と、これに収容される複数のIP電話機14、16との間に介在するVoIPアダプタ10は、IP電話機14、16から到来するIPパケットについて、そのIPパケットがIP電話機14、16のいずれかに直接転送すべきものであるか否かを判定する。直接転送すべきものと判定した場合には、そのIPパケットを、構内交換装置12を介さず、直接、転送先であるIP電話機14、16のいずれかに転送する。【選択図】図１
2007124359.tif 000002
【特許請求の範囲】
【請求項１】
構内交換装置（Private Branch eXchange; PBX）と該装置に収容される複数のIP（Internet Protocol）電話機との間に介在するVoIP（Voice over Internet Protocol）アダプタにおいて、該VoIPアダプタは、
前記複数のIP電話機から到来するIPパケットについて、前記複数のIP電話機のいずれかに直接転送すべきものであるか否かを判定し、直接転送すべきものと判定したIPパケットを、直接、転送先のIP電話機に転送する判定・転送手段を含み、
これによって、構内交換装置を介さずにIP電話機同士の内線通話を可能とすることを特徴とするVoIPアダプタ。
【請求項２】
請求項１に記載のVoIPアダプタにおいて、該VoIPアダプタはさらに、
前記構内交換装置から到来する音声信号と前記複数のIP電話機から到来するIPパケットとを相互に変換する変換手段を含み、
前記判定・転送手段は、前記直接転送すべきものと判定しなかったIPパケットを、前記変換手段に転送し、
該転送されたIPパケットを、前記変換手段は、音声信号に変換して前記構内交換装置に転送し、
これによって、構内交換装置を介して外線通話を可能とすることを特徴とするVoIPアダプタ。
【請求項３】
請求項２に記載のVoIPアダプタにおいて、
前記変換手段は、前記構内交換装置に転送された音声信号のうち、転送先が前記複数のIP電話機のいずれかであると前記構内交換装置によって判定された音声信号を受信し、該音声信号を再びIPパケットに変換し、
前記判定・転送手段は、該IPパケットを転送先のIP電話機に転送し、
これによって、構内交換装置を介したIP電話機同士の内線通話をも可能とすることを特徴とするVoIPアダプタ。
【請求項４】
請求項１ないし３のいずれかに記載のVoIPアダプタにおいて、
前記判定・転送手段は、IPパケットに関連付けられていて該IPパケットの転送先を特定する電話番号に応じて、該IPパケットが前記複数のIP電話機のいずれかに直接転送すべきものであるか否かを判定することを特徴とするVoIPアダプタ。
【請求項５】
構内交換装置と該装置に収容される複数のIP電話機との間に介在するVoIPアダプタへ、該複数のIP電話機のいずれかから、IPパケットを送る工程と、
前記VoIPアダプタにて、前記IPパケットが、前記複数のIP電話機のいずれかに直接転送すべきものであるか否かを判定する工程と、
該判定する工程において直接転送すべきものと判定した場合に、前記IPパケットを、直接、転送先のIP電話機に転送する工程とを含み、
これによって、構内交換装置を介さずにIP電話機同士の内線通話を可能とすることを特徴とする音声通話方法。
【請求項６】
請求項５に記載の音声通話方法において、該方法はさらに、
前記判定する工程において直接転送すべきものと判定しなかった場合に、前記IPパケットを、音声信号に変換して前記構内交換装置に転送する工程を含み、
これによって、構内交換装置を介して外線通話を可能とすることを特徴とする音声通話方法。
【請求項７】
請求項６に記載の音声通話方法において、該方法はさらに、
前記構内交換装置に転送された音声信号のうち、転送先が前記複数のIP電話機のいずれかであると前記構内交換装置によって判定された音声信号を前記VoIPアダプタにて受信し、該音声信号を再びIPパケットに変換する工程と、
該IPパケットを前記VoIPアダプタから転送先のIP電話機に転送する工程とを含み、
これによって、構内交換装置を介したIP電話機同士の内線通話をも可能とすることを特徴とする音声通話方法。
【請求項８】
請求項５ないし７のいずれかに記載の音声通話方法において、前記判定する工程では、IPパケットに関連付けられていて該IPパケットの転送先を特定する電話番号に応じて、該IPパケットが前記複数のIP電話機のいずれかに直接転送すべきものであるか否かを判定することを特徴とする音声通話方法。
【発明の詳細な説明】
【技術分野】
【０００１】
本発明は、構内交換装置（Private Branch eXchange; PBX）とこれに収容される複数のIP（Internet Protocol）電話機との間に介在するVoIP（Voice over Internet Protocol）アダプタと、かかるVoIPアダプタを利用した音声通話方法とに関するものである。
【背景技術】
【０００２】
構内交換装置とこれに収容される複数のIP電話機との間にVoIPアダプタを介在させることにより、これらIP電話機同士の内線通話を行ない、あるいは、これらIP電話機と構外の電話機との外線通話を行なう音声通話方法が提案されている。かかる方法では、外線通話だけでなく、内線通話も、構内交換装置を介して行なわれていた。
【０００３】
すなわち、従来の音声通話方法では、IP電話機同士の内線通話を行なう場合、音声は、まずIP電話機からVoIPアダプタへIPパケットとして送られ、VoIPアダプタにてアナログまたはデジタルの音声信号に変換される。変換された音声信号はさらに構内交換装置に送られ、構内交換装置にて転送先が特定され、再びVoIPアダプタに戻される。そしてVoIPにて音声信号は再びIPパケットに変換され、転送先のIP電話機に送られる。
【０００４】
【特許文献１】特開２０００−３５８０９８号公報
【発明の開示】
【発明が解決しようとする課題】
【０００５】
しかし上述のような音声通話方法では、VoIPアダプタにてIPパケットから音声信号という１度目の信号変換がなされた後、音声信号は構内交換装置を経由してVoIPアダプタに戻され、そこで、音声信号からIPパケットという２度目の信号変換がなされる。かかる方法は一般にIP2リンクと呼ばれる。IP2リンクでは、２度の信号変換が行なわれるため、音声品質が劣化してしまうという問題がある。
【０００６】
本発明はこのような課題に鑑み、音声品質の劣化を低減するVoIPアダプタおよび音声通話方法を提供することを目的とする。
【課題を解決するための手段】
【０００７】
本発明は上述の課題を解決するために、構内交換装置とこの交換装置に収容される複数のIP電話機との間に介在するVoIPアダプタは、複数のIP電話機から到来するIPパケットについて、複数のIP電話機のいずれかに直接転送すべきものであるか否かを判定し、直接転送すべきものと判定したIPパケットを、直接、転送先のIP電話機に転送する判定・転送手段を含む。
【０００８】
本発明によれば、構内交換装置とこれに収容される複数のIP電話機との間に介在するVoIPアダプタへ、複数のIP電話機のいずれかから、IPパケットを送る工程と、VoIPアダプタにて、IPパケットが、複数のIP電話機のいずれかに直接転送すべきものであるか否かを判定する工程と、その判定する工程において直接転送すべきものと判定した場合に、IPパケットを、直接、転送先のIP電話機に転送する工程とを実行可能である。
【発明の効果】
【０００９】
本発明によれば、構内交換装置に収容される複数のIP電話機同士の間で内線通話を行なう際、発信者は、IP電話機からダイヤルする番号を変更することによって、１リンク／２リンクの音声通話方法のいずれかを選択できる。
【００１０】
１リンクの音声通話方法を選択した場合は、構内交換装置を介さずにIP電話機同士で直接IPパケットをやり取りするため、２リンクの音声通話方法に比較して音声品質の劣化を低減できる。また、IPパケットは音声信号に変換されず、IPパケットのままIP電話機同士でやりとりされるため、音声以外のIPベースの付加情報交換ができる。例えば、テレビ電話、チャット機能、アプリケーションソフトウェアとの連携などが可能となる。
【００１１】
２リンクの音声通話方法を選択した場合は、構内交換装置を経由して内線通話を行なうこととなるため、構内交換装置のサービスが受けられるという利点が得られる。例えば、通話中の他の電話機への呼の転送や通話保留などの諸機能が利用できる。
【発明を実施するための最良の形態】
【００１２】
次に添付図面を参照して本発明によるVoIPアダプタおよび音声通話方法の実施例を詳細に説明する。各図面において、同様の要素は同一の参照符号を用いて指示する。
【００１３】
図１は、本発明によるVoIPアダプタの実施例の配置を示すブロック図である。VoIPアダプタ10は、構内交換装置12とこれに収容される複数のIP電話機14、16との間に介在している。IP電話機14、16の接続手順は、H.323方式でも、SIP（Session Initiation Protocol）でもよい。図１では、VoIPアダプタ10は、構内交換装置12と複数のIP電話機14、16とに有線方式で接続されているが、接続方式は無線方式であってもよい。また、構内交換装置12とVoIPアダプタ10との間は、ISDN方式で接続してもよいし、アナログ方式で接続してもよい。VoIPアダプタ10からIP電話機14、16までの間は、例えばイーサネット（登録商標）で接続してよい。
【００１４】
VoIPアダプタ10とIP電話機14、16との間にはIPスイッチ18が接続されていて、このスイッチ18は、IP電話機14、16から到来するIPパケットをVoIPアダプタ10に転送するとともに、VoIPアダプタ10から到来するIPパケットを、IPパケットが表示するIPアドレスを有するいずれかのIP電話機14、16に転送する。なお図１では２個のIP電話機14、16しか示していないが、IP電話機は３個以上設けてもよい。
【００１５】
図２は図１に示すVoIPアダプタの内部構成を示すブロック図である。VoIPアダプタ10は、判定・転送回路20を含み、これは、スイッチ18と接続されている。判定・転送回路20は、複数のIP電話機14、16からスイッチ18を経由して到来するIPパケットについて、複数のIP電話機14、16のいずれかに直接転送すべきものであるか否かを判定する回路である。判定・転送回路20はさらに、直接転送すべきものと判定したIPパケットを、直接、転送先のIP電話機14または16に転送する機能を有する。
【００１６】
判定・転送回路20は、IPパケットに関連付けられていてそのIPパケットの転送先を特定する電話番号に応じて、そのIPパケットが複数のIP電話機14、16のいずれかに直接転送すべきものであるか否かを判定する。本実施例では、5000番台の電話番号を内線電話番号とし、6000番台の電話番号を外線電話番号としている。IP電話機14、16は、それぞれ、図１に示すように、内線電話番号および外線電話番号を有する。IP電話機14の内線電話番号は5000であり、外線電話番号は6000である。IP電話機16の内線電話番号は5001であり、外線電話番号は6001である。
【００１７】
判定・転送回路20は、構内交換装置12に収容されているすべてのIP電話機14、16の内線電話番号と、これら内線電話番号に一対一に対応した外線電話番号とを保有している。すなわち、IP電話機14のIPアドレス・内線電話番号5000・外線電話番号6000を対応させて保有し、同様に、IP電話機16のIPアドレス・内線電話番号5001・外線電話番号6001を対応させて保有している。一方、構内交換装置12は、それが収容しているすべてのIP電話機14、16に関する情報のうち、IPアドレス・外線電話番号のみを保有し、また、それが収容しない構外の電話機への呼接続機能も有する。
【００１８】
判定・転送回路20は、保有している上述の情報により、5000番台の内線電話番号を受信した場合には、これに関連付けられているIPパケットを、直接、転送先のIP電話機へ転送する。一方、6000番台の外線電話番号を受信した場合にはこれに関連付けられているIPパケットを、後述の音声信号／IPパケット変換回路22へ転送する。
【００１９】
図１に示すように、構内交換装置12には、それが収容していない構外のアナログ電話機24も接続されていて、例えばIP電話機14からこのアナログ電話機24に電話する場合は、アナログ電話機24の外線電話番号である6002をダイヤルすればよい。この場合も、判定・転送回路20は、取得した電話番号が6000番台の外線電話番号であるため、IP電話機14から到来するIPパケットを、音声信号／IPパケット変換回路22に転送する。
【００２０】
音声信号／IPパケット変換回路22は、構内交換装置12に接続されていて、構内交換装置12から到来する音声信号と、複数のIP電話機14、16からスイッチ18および判定・転送回路20を経て到来するIPパケットとを相互に変換する回路である。したがって、音声信号／IPパケット変換回路22は、判定・転送回路20からIPパケットが転送されると、これを音声信号に変換して構内交換装置12に転送する。したがって、IP電話機14からダイヤルされた電話番号が6002であった場合は、IP電話機14と構外のアナログ電話機24との間に呼接続がなされ、構内交換装置12を介した外線通話が可能となる。
【００２１】
一方、IP電話機14からダイヤルされた電話番号が6001であった場合は、構内交換装置12は、自己が保有している構内のIP電話機16の外線電話番号であることを認識し、VoIPアダプタ10の音声信号／IPパケット変換回路22から受信した音声信号を、再び回路22に戻す。回路22は、音声信号を再びIPパケットに変換して判定・転送回路20に送る。判定・転送回路20は、IPパケットを転送先のIP電話機16に転送する。このように、内線通話をする場合に、相手方のIP電話機の内線電話番号でなく、外線電話番号をダイヤルすれば、構内交換装置12を介したIP電話機同士の内線通話も可能となる。この場合は、２リンクの内線通話が行なわれる。
【００２２】
図３は本発明による音声通話方法を利用したIP電話機同士の内線呼接続のシーケンスの一例を示す図である。例えばIP電話機14からIP電話機16に対して発呼して内線通話を行なう場合、IP電話機14からは、IP電話機16の内線電話番号5001をダイヤルしてもよいし、IP電話機16の外線電話番号6001をダイヤルしてもよい。図３は内線電話番号5001をダイヤルした場合を示す。VoIPアダプタ10の判定・転送回路20は、IP電話機14から送られる発呼ダイヤル信号（TO:5001/FROM:5000）から電話番号5001を取得する。これは5000番台の内線電話番号であるため、VoIPアダプタ10の判定・転送回路20は、直接、IP電話機16に着呼信号を送り、IP電話機16から応答信号を得てこれをIP電話機14に転送することによって、呼接続を完了する。
【００２３】
図３に示すように呼接続が完了すると、VoIPアダプタ10の判定・転送回路20は、IP電話機14から到来するIPパケットを、直接、転送先のIP電話機16に転送する。これによって、構内交換装置12を介さずにIP電話機同士の内線通話が可能となる。すなわち、１リンクの内線通話が可能となる。
【００２４】
図４は本発明による音声通話方法を利用したIP電話機同士の内線呼接続のシーケンスの他の一例を示す図である。図４はIP電話機14から外線電話番号6001をダイヤルした場合を示す。VoIPアダプタ10の判定・転送回路20は、IP電話機14から送られる発呼ダイヤル信号（TO:6001/FROM:5000）から電話番号6001を取得する。これは6000番台の外線電話番号であるため、VoIPアダプタ10の判定・転送回路20は、IP電話機14から到来するIPパケットを、IP電話機16に直接転送すべきものと判定しない。したがって、この場合は、VoIPアダプタ10は、自己が保有しているIP電話機14のIPアドレス・内線電話番号5000・外線電話番号6000に基づき、発呼ダイヤル信号を信号（TO:6001/FROM:6000）に変換して構内交換装置12に送る。構内交換装置12は取得した外線電話番号6000に基づき、転送先がIP電話機16であることを認識し、着呼ダイヤル信号（TO:6001/FROM:6000）をVoIPアダプタ12に返す。VoIPアダプタ12は、自己が保有しているIP電話機16のIPアドレス・内線電話番号5001・外線電話番号6001に基づき、着呼信号をIP電話機16に着呼信号を送り、IP電話機16から応答信号を得る。応答信号は、発着呼信号が到来したのと逆の経路を経てIP電話機14に転送され、これによって、呼接続を完了する。
【００２５】
図４に示すように呼接続が完了すると、VoIPアダプタ10の判定・転送回路20は、IP電話機14から到来するIPパケットを、音声信号／IPパケット変換回路22に転送する。回路22ではIPパケットを音声信号に変換して構内交換装置12に転送する。構内交換装置12は、IP電話機14からダイヤルされた電話番号が6001であるため、自己が保有している構内のIP電話機16の外線電話番号であることを認識し、音声信号を、VoIPアダプタ10の音声信号／IPパケット変換回路22に再び戻す。回路22は、音声信号を再びIPパケットに変換して判定・転送回路20に送る。判定・転送回路20は、IPパケットを転送先のIP電話機16に転送する。このように、外線電話番号を用いれば、構内交換装置12を介したIP電話機同士の内線通話も可能となる。この場合は、２リンクの内線通話が行なわれる。
【００２６】
以上のように、本発明の実施例によれば、同一の構内交換装置に収容されるIP電話機同士で内線通話する場合、相手方のIP電話機の内線電話番号または外線電話番号のいずれをダイヤルしてもよい。内線電話番号を選択した場合は、構内交換装置12を介さない１リンクの内線通話が行なわれ、外線電話番号を選択した場合は、構内交換装置12を介した２リンクの内線通話が行なわれる。本発明の特徴は、従来、図４に示す構内交換装置を介した２リンクの内線通話しか実行できなかったところ、１リンク／２リンクの内線通話を選択可能にした点にある。
【００２７】
図５は、本発明によるVoIPアダプタによるIP電話機・構外アナログ電話機の外線呼接続シーケンスを示す図である。この場合は従来と同様に、構外のアナログ電話機24の外線電話番号6002をIP電話機14からダイヤルすればよい。6000番台は外線電話番号であるため、VoIPアダプタ10の判定・転送回路20は、発呼ダイヤル信号を構内交換装置12に発呼ダイヤル信号を送る。構内交換装置12からは着呼ダイヤル信号がアナログ電話機24に送られ、アナログ電話機24から応答信号が逆の経路を経てIP電話機14に到来する。これによりIP電話機14と構外のアナログ電話機24との間に呼接続がなされ、構内交換装置12を介した外線通話が可能となる。
【図面の簡単な説明】
【００２８】
【図１】本発明によるVoIPアダプタの実施例の配置を示すブロック図である。
【図２】図１に示すVoIPアダプタの内部構成を示すブロック図である。
【図３】本発明による音声通話方法を利用したIP電話機同士の内線呼接続のシーケンスの一例を示す図である。
【図４】本発明による音声通話方法を利用したIP電話機同士の内線呼接続のシーケンスの他の一例を示す図である。
【図５】本発明によるVoIPアダプタによるIP電話機・構外アナログ電話機の外線呼接続シーケンスを示す図である。
【符号の説明】
【００２９】
10  VoIPアダプタ
12  構内交換装置
14、16  IP電話機
24  アナログ電話機
【図１】
2007124359.tif 000003
【図２】
2007124359.tif 000004
【図３】
2007124359.tif 000005
【図４】
2007124359.tif 000006
【図５】
2007124359.tif 000007